(57)【特許請求の範囲】
【請求項１】
ヘッド素子を複数備えたヘッドで、磁気テープの主データトラック及び副データトラックに記録されているデータを読み込み可能な磁気テープ装置であって、
前記ヘッドにおけるデータ読み込み動作を制御する制御手段を備え、
前記制御手段は、
前記ヘッドにおける全てのヘッド素子で前記磁気テープに記録されているデータを読み込み、
読み込んだデータのエラーレートを算出し、
前記エラーレートと所定値とを比較し、
前記エラーレートが前記所定値よりも低い場合は、前記ヘッドにおける全てのヘッド素子で、前記主データトラックに記録されている主データおよび前記副データトラックに記録されている副データを読み込み、
前記エラーレートが前記所定値よりも高い場合は、前記複数のヘッド素子のうち任意のヘッド素子で、前記主データトラックに記録されている主データまたは前記副データトラックに記録されている副データを読み込む、磁気テープ装置。
【請求項２】
ヘッド素子を複数備えたヘッドで、磁気テープの主データトラック及び副データトラックに記録されているデータを読み込み可能な磁気テープ装置であって、
前記ヘッドにおけるデータ読み込み動作を制御する制御手段を備え、
前記制御手段は、
前記ヘッドにおける全てのヘッド素子で前記磁気テープに記録されているデータを読み込み、
読み込んだデータの再生出力レベルを検出し、
前記再生出力レベルと所定値とを比較し、
前記再生出力レベルが前記所定値よりも高い場合は、前記ヘッドにおける全てのヘッド素子で、前記主データトラックに記録されている主データおよび前記副データトラックに記録されている副データを読み込み、
前記再生出力レベルが前記所定値よりも低い場合は、前記複数のヘッド素子のうち任意のヘッド素子で、前記主データトラックに記録されている主データまたは前記副データトラックに記録されている副データを読み込む、磁気テープ装置。
【請求項３】
ヘッド素子を複数備えたヘッドで、磁気テープの主データトラック及び副データトラックに記録されているデータを読み込み可能なデータ再生方法であって、
前記ヘッドにおける全てのヘッド素子で前記磁気テープに記録されているデータを読み込み、
読み込んだデータのエラーレートを算出し、
前記エラーレートと所定値とを比較し、
前記エラーレートが前記所定値よりも低い場合は、前記ヘッドにおける全てのヘッド素子で、前記主データトラックに記録されている主データおよび前記副データトラックに記録されている副データを読み込み、
前記エラーレートが前記所定値よりも高い場合は、前記複数のヘッド素子のうち任意のヘッド素子で、前記主データトラックに記録されている主データまたは前記副データトラックに記録されている副データを読み込む、データ再生方法。
【請求項４】
ヘッド素子を複数備えたヘッドで、磁気テープの主データトラック及び副データトラックに記録されているデータを読み込み可能なデータ再生方法であって、
前記ヘッドにおける全てのヘッド素子で前記磁気テープに記録されているデータを読み込み、
読み込んだデータの再生出力レベルを検出し、
前記再生出力レベルと所定値とを比較し、
前記再生出力レベルが前記所定値よりも高い場合は、前記ヘッドにおける全てのヘッド素子で、前記主データトラックに記録されている主データおよび前記副データトラックに記録されている副データを読み込み、
前記再生出力レベルが前記所定値よりも低い場合は、前記複数のヘッド素子のうち任意のヘッド素子で、前記主データトラックに記録されている主データまたは前記副データトラックに記録されている副データを読み込む、データ再生方法。
【発明の詳細な説明】
【技術分野】
【０００１】
本発明は、磁気テープ装置、データ記録方法、データ再生方法に関する。
【背景技術】
【０００２】
データバックアップ用磁気テープの分野では、バックアップの対象となるハードディスクの大容量化に伴い、１巻当たり８００ＧＢ以上の記録容量を持つ磁気テープが商品化されている。また、今後４ＴＢを超える大容量バックアップテープが提案されており、その高容量化は不可欠である。
【０００３】
このような大容量磁気テープ装置に用いられる記録・再生用磁気ヘッドとしては、基体上に薄膜生成法により、磁極、コイル、磁気抵抗効果型素子層等を形成して、記録は誘導型ヘッド素子で行い、再生は磁気抵抗効果型ヘッド素子を利用して行うＭＲ誘導型複合ヘッド素子（以下、単にヘッド素子あるいはヘッド素子ともいう）を用いることが多い。ヘッド素子は、磁気テープの移送方向に直交する方向に伸びる同一のヘッドレール上に、複数個（８〜１６個）配されることが多い。このようなヘッドレールは、磁気テープの移送方向に１本以上配され、一般的には２本配されている。このような構成の磁気テープ装置において、磁気テープのフォワード方向移送時は先行レールに設けられたヘッド素子でデータを記録または再生し、リバース方向移送時には後行レールに設けられたヘッド素子でデータを記録または再生する。
【０００４】
また、この磁気ヘッドには、ヘッド素子を複数個設けたヘッドレールの両端にサーボ信号再生用ＭＲ型ヘッド素子（以下、サーボヘッドと称する）が配されている。サーボヘッドは、磁気テープに記録されたサーボ信号を読み取ることができる。サーボヘッドで読み取ったサーボ信号を基準にして、多チャンネルのヘッドを同時に動作させて、磁気テープに多チャンネルのデータを記録したり、磁気テープから多チャンネルのデータを読み出したりすることができる。また、サーボヘッドを用いたサーボ制御以外に、磁気テープのバックコート側に光学的位置検出用の複数個の凹部を設けたサーボパターンを、ヘッド素子を複数個設置したレールに対して磁気テープをはさんで対向した位置にある光学センサーで読み取り、光学センサーで読み取ったサーボパターンに基づくサーボ信号を基準にして多チャンネルのデータを同時に記録または再生するようなサーボ制御がある。
【０００５】
一方で、磁気テープの高記録密度化により、記録トラック幅が狭くなることや記録トラック幅と再生トラック幅との差（オフトラックマージン）に余裕が小さくなることで、磁気テープの幅方向の位置変動だけでなく、磁気テープの幅方向の僅かな寸法変化によってもデータ再生時にエラーを起こしてしまうことが懸念されている。
【０００６】
ここでいう「磁気テープの幅方向の僅かな寸法変化」とは、様々な原因に基づくものがある。例えば、磁気テープがリールに巻かれた状態で保存されている場合、磁気テープ全長において巻き取り時のテンションがかかったまま保存されることになり、さらに巻きの中心部では巻圧が定常的に加わっている状態となるため、クリープ現象によって起こる寸法変化がある。また、データの記録再生時における、磁気テープのテンションの変化によっておこる寸法変化がある。また、磁気テープの使用環境における温度や湿度の影響で起こる寸法変化がある。
【０００７】
非特許文献１は、磁気テープの幅方向の寸法変化や磁気テープの損傷等によって連続的に生じるエラー（バーストエラー）を補正する方法を開示している。具体的には、まずユーザーが記録するデータの集まり（データセット）を、細かく分割してエラー訂正コードを付加してサブデータセットを作成する。このサブデータセットをさらに細かく分割して、テープ全幅の全てのチャンネルに振り分けるとともに、テープ長手方向にも記録位置をずらして記録する。
【先行技術文献】
【特許文献】
【０００８】
【非特許文献１】JIS X 6175:2006 情報技術―情報交換用12.7mm幅,384-トラック磁気テープカートリッジ−ウルトリウム１様式、JISハンドブック(65)情報記録媒体 2006（P.1857〜P.1945）
【発明の概要】
【発明が解決しようとする課題】
【０００９】
今後、さらなる磁気テープの高記録密度化により記録トラック幅が今まで以上に狭くなると、磁気テープの幅方向の位置変動による問題とは別に、磁気テープの幅方向の僅かな寸法変化によって、記録トラックと再生ヘッドとの位置ずれが生じエラーを起こしてしまうという問題が生じる可能性がある。非特許文献１に開示されている記録方法では、このような問題を解消することは困難である。
【００１０】
図１は、磁気テープの幅方向の寸法変化の状態を示す模式図である。図１における磁気テープ１００ａは、幅方向寸法が変化する前の状態を示す。磁気テープ１００ｂは、幅方向寸法が変化した後の状態を示す。磁気テープ１００ａ及び１００ｂには、８本のデータトラックＤＴ０〜ＤＴ７と、サーボトラックＳＴ１及びＳＴ２が形成されている。磁気ヘッド１０１は、８個のヘッド素子ＣＨ０〜ＣＨ７と、サーボヘッド１０１ａ及び１０１ｂを備えている。ヘッド素子ＣＨ０〜ＣＨ７は、データトラックＤＴ０〜ＤＴ７をトレースしながら、データトラックＤＴ０〜ＤＴ７にデータを記録したり、データトラックＤＴ０〜ＤＴ７に記録されているデータを読み出したりすることができる。
【００１１】
サーボヘッド１０１ａ及び１０１ｂは、サーボトラックＳＴ１及びＳＴ２をトレースすることで、サーボ信号を再生することができる。磁気テープ装置は、再生されたサーボ信号に基づき、各ヘッド素子が各データトラックにオントラックするように、磁気ヘッド１０１を磁気テープの幅方向へ変位させる。このような磁気ヘッドの変位制御をトラッキングサーボと称する。
【００１２】
磁気テープ１００ａに示すように、幅方向の寸法が変化する前には、磁気ヘッド１０１の８チャンネル全てのヘッド素子ＣＨ０〜ＣＨ７がデータトラックＤＴ０〜ＤＴ７にオントラックしていたが、磁気テープ１００ｂに示すように幅方向の寸法が変化（拡大）することにより、全てのヘッド素子ＣＨ０〜ＣＨ７をデータトラックＤＴ０〜ＤＴ７にオントラックすることができなくなる。
【００１３】
図１の例では、ヘッド素子ＣＨ３、ＣＨ４を中心にしてトラッキングサーボをかけているため、磁気テープ幅方向端部のチャンネルに向かうほどオフトラック量（ヘッド素子とデータトラックとの、磁気テープ幅方向のずれ量）が大きくなる。特に、磁気テープ幅方向端部のチャンネルであるヘッド素子ＣＨ０及びヘッド素子ＣＨ７は、オフトラック量が最大になっており、完全にデータトラックＤＴ０及びＤＴ７から外れている。
【００１４】
図１から明確なように、最大オフトラック量は、磁気テープの幅方向に並んだ複数のヘッド素子のうち両端のヘッド素子間の距離が長いほど大きくなる。したがって、全チャンネルのトラッキング精度を向上させるためには、ヘッド素子の間隔を小さくすることが有効である。しかし、ヘッド素子の間隔を小さくするためには、磁気ヘッドの加工精度を高めるとともに、磁気ヘッドの高精度な組立技術が必要となり、製造コストが高くなる。
【００１５】
非特許文献１に開示されている構成では、データを読み込んでエラー訂正を行うためには、全チャンネルのデータがほぼ同時に読めなければならない。しかしながら、今後、さらなる磁気テープの高記録密度化により記録トラック幅が今まで以上に狭くなると、磁気テープの幅方向の僅かな寸法変化によって、記録トラックと再生ヘッドとの位置ずれが生じ、エラーを起こしてしまう。したがって、全チャンネルで良好なエラー特性でデータを読み込むのは難しく、将来の磁気テープ装置の高記録密度化を達成することは極めて困難である。
【課題を解決するための手段】
【００１７】
本願の磁気テープ装置は、ヘッド素子を複数備えたヘッドで、磁気テープの主データトラック及び副データトラックに記録されているデータを読み込み可能な磁気テープ装置であって、前記ヘッドにおけるデータ読み込み動作を制御する制御手段を備え、前記制御手段は、前記ヘッドにおける全てのヘッド素子で前記磁気テープに記録されているデータを読み込み、読み込んだデータのエラーレートを算出し、前記エラーレートと所定値とを比較し、前記エラーレートが前記所定値よりも低い場合は、前記ヘッドにおける全てのヘッド素子で、前記主データトラックに記録されている主データおよび前記副データトラックに記録されている副データを読み込み、前記エラーレートが前記所定値よりも高い場合は、前記複数のヘッド素子のうち任意のヘッド素子で、前記主データトラックに記録されている主データまたは前記副データトラックに記録されている副データを読み込む。
【００１８】
本願の磁気テープ装置は、ヘッド素子を複数備えたヘッドで、磁気テープの主データトラック及び副データトラックに記録されているデータを読み込み可能な磁気テープ装置であって、前記ヘッドにおけるデータ読み込み動作を制御する制御手段を備え、前記制御手段は、前記ヘッドにおける全てのヘッド素子で前記磁気テープに記録されているデータを読み込み、読み込んだデータの再生出力レベルを検出し、前記再生出力レベルと所定値とを比較し、前記再生出力レベルが前記所定値よりも高い場合は、前記ヘッドにおける全てのヘッド素子で、前記主データトラックに記録されている主データおよび前記副データトラックに記録されている副データを読み込み、前記再生出力レベルが前記所定値よりも低い場合は、前記複数のヘッド素子のうち任意のヘッド素子で、前記主データトラックに記録されている主データまたは前記副データトラックに記録されている副データを読み込む。
【００２０】
本願のデータ再生方法は、ヘッド素子を複数備えたヘッドで、磁気テープの主データトラック及び副データトラックに記録されているデータを読み込み可能なデータ再生方法であって、前記ヘッドにおける全てのヘッド素子で前記磁気テープに記録されているデータを読み込み、読み込んだデータのエラーレートを算出し、前記エラーレートと所定値とを比較し、前記エラーレートが前記所定値よりも低い場合は、前記ヘッドにおける全てのヘッド素子で、前記主データトラックに記録されている主データおよび前記副データトラックに記録されている副データを読み込み、前記エラーレートが前記所定値よりも高い場合は、前記複数のヘッド素子のうち任意のヘッド素子で、前記主データトラックに記録されている主データまたは前記副データトラックに記録されている副データを読み込む。
【００２１】
本願のデータ再生方法は、ヘッド素子を複数備えたヘッドで、磁気テープの主データトラック及び副データトラックに記録されているデータを読み込み可能なデータ再生方法であって、前記ヘッドにおける全てのヘッド素子で前記磁気テープに記録されているデータを読み込み、読み込んだデータの再生出力レベルを検出し、前記再生出力レベルと所定値とを比較し、前記再生出力レベルが前記所定値よりも高い場合は、前記ヘッドにおける全てのヘッド素子で、前記主データトラックに記録されている主データおよび前記副データトラックに記録されている副データを読み込み、前記再生出力レベルが前記所定値よりも低い場合は、前記複数のヘッド素子のうち任意のヘッド素子で、前記主データトラックに記録されている主データまたは前記副データトラックに記録されている副データを読み込む。
【発明の効果】
【００２３】
本発明によれば、磁気テープの幅方向の寸法変化に対するサーボトラッキング性能を大幅に向上させることができる。
【図面の簡単な説明】
【００２４】
【図１】磁気テープの幅方向の寸法変動を説明するための模式図
【図２】本実施の形態にかかる磁気テープ装置のブロック図
【図３】磁気ヘッドの斜視図
【図４】本実施の形態にかかる磁気テープ装置で磁気テープに記録可能なデータの構造を示すブロック図
【図５Ａ】グループＡに含まれるデータの構造を示すブロック図
【図５Ｂ】グループＢに含まれるデータの構造を示すブロック図
【図５Ｃ】本実施の形態にかかる磁気テープ装置で記録されたデータトラックの構成を示す模式図
【図６Ａ】ヘッド素子ＣＨ０〜ＣＨ３でデータトラックＤＴ０〜ＤＴ３をトレースしている状態を示す模式図
【図６Ｂ】ヘッド素子ＣＨ４〜ＣＨ７でデータトラックＤＴ４〜ＤＴ７をトレースしている状態を示す模式図
【図７】データ再生動作を示すフローチャート
【図８】グループＡに対応するデータブロックを読み込む動作を示すフローチャート
【図９】データ再生動作を示すフローチャート（変形例１）
【図１０】グループＡに対応するデータブロックを読み込む動作を示すフローチャート（変形例１）
【図１１】本実施の形態にかかる磁気テープ装置で磁気テープに記録可能なデータの構造を示すブロック図（変形例２）
【図１２Ａ】グループＡに含まれるデータの構造を示すブロック図（変形例２）
【図１２Ｂ】グループＢに含まれるデータの構造を示すブロック図（変形例２）
【図１２Ｃ】グループＣに含まれるデータの構造を示すブロック図（変形例２）
【図１２Ｄ】グループＤに含まれるデータの構造を示すブロック図（変形例２）
【図１２Ｅ】本実施の形態にかかる磁気テープ装置で記録されたデータトラックの構成を示す模式図（変形例２）
【図１３】図１２Ｅに示すパターンでデータが記録された磁気テープから、データを読み込む際の動作を示すフローチャート
【発明を実施するための形態】
【００２５】
（実施の形態）
〔１．磁気テープ装置の構成〕
非特許文献１に開示されているデータ記録方法は、ユーザーが記録するデータファイルを分割したデータの集まり（データセット）を、さらに細かく分割してエラー訂正コードを付加してサブデータセットを作成する。ここで１つのサブデータセットが、単独でエラー訂正が行えるエラー訂正処理単位であり、サブデータセットの中のデータが磁気テープの損傷やオフトラック等でデータが消滅して、その消滅したデータ量がエラー訂正で復元可能なデータ処理量を超えてしまうと、データが完全に消滅してしまう。
【００２６】
また、非特許文献１に開示されているデータ記録方法では、磁気テープの損傷等によって連続的に生じるエラー（バーストエラー）の影響を少なくするために、１つのサブデータセットをさらに細かく分割（Ｓ１、Ｓ２、Ｓ３・・・Ｓｎ−２、Ｓｎ−１、Ｓｎのｎ個に分割）して全てのチャンネル（８チャンネル、ＣＨ０〜ＣＨ７）に振り分けて８本のデータトラック（トラック０からトラック７）に記録し、さらに同時に複数のサブデータセットを記録することにより、テープ長手方向にもずらして記録される。このため、データを読み込んでエラー訂正を行うためには、全チャンネルのデータがほぼ同時に読めなければならない。
【００２７】
しかしながら、今後、さらなる磁気テープの高記録密度化により記録トラック幅が今まで以上に狭くなると、磁気テープの幅方向の僅かな寸法変化によって、記録トラックと再生ヘッドとの位置ずれが生じエラーを起こしてしまう。したがって、全チャンネルで良好なエラー特性でデータを読み込むのは難しく、将来の磁気テープ装置の高記録密度化を達成することは極めて困難である。
【００２８】
一方、磁気テープにおいては、現在、リニア型磁気テープ装置用の磁気テープに使用しているベースフィルム（ＰＥＴフィルムやＰＥＮフィルム）の寸法安定性は限界に近づいており、今後、さらなる磁気テープの高記録密度化に伴った狭トラック幅化に対応することは難しい。現在、ＰＥＮフィルムよりも寸法安定性の優れたベースフィルムとしては、アラミドフィルムがある。アラミドフィルムは、リニア型磁気テープ装置用よりもテープ幅が狭く、テープ長が短い、ヘリカル型磁気テープ装置に用いられていることが多い。しかし、アラミドフィルムは、価格が高く、ヘリカル型磁気テープ装置よりもテープ幅が広く、テープ長が長いリニア型磁気テープ装置における製品化は、コスト的に難しい。したがって、リニア型磁気テープ装置に用いる磁気テープのベースフィルムは、ＰＥＴフィルムやＰＥＮフィルムを用いることが望ましい。
【００２９】
本実施の形態は、磁気テープの幅方向の寸法が変化したとしても、優れたエラー特性のデータを再生することができることを目的としている。また、そのような構成を、低コストに実現することを目的としている。
【００３０】
図２は、本実施の形態にかかる磁気テープ駆動装置のブロック図である。図３は、磁気ヘッド１、ヘッド変位部７の具体構成を示す斜視図である。なお、本実施の形態にかかる磁気テープ駆動装置は、一例として、コンピュータテープに対してデータのリニア記録が可能な装置を挙げている。
【００３１】
図２に示すように、本実施の形態にかかる磁気テープ駆動装置は、磁気ヘッド１、テープガイド２及び３、第１のリール４、ヘッド変位部７、操作部１１、制御部１２、記録再生制御部１３、変位制御部１４、モータ２１及び２２を備えている。第２のリール５、磁気テープ６は、磁気テープ駆動装置に着脱可能である。
【００３２】
磁気ヘッド１は、磁気テープ６に対して各種情報を記録したり、磁気テープ６に記録されている各種情報を再生したりすることができる。磁気ヘッド１は、磁気テープ６が本装置内の所定の位置にローディングされている状態において、ＭＲ素子を組み込んだＭＲヘッドユニット１ａ（図３参照）が配されている摺動面１ｂ（図３参照）が磁気テープ６に接触している。なお、本実施の形態では磁気ヘッド１は、ＭＲ素子（磁気抵抗効果素子）を備えたＭＲヘッドで実現したが、これに限定されるものではない。
【００３３】
テープガイド２及び３は、磁気ヘッド１の第１のリール４側及び第２のリール５側にそれぞれ配され、磁気ヘッド１に対する磁気テープ６の巻き付け角や、磁気テープ６の幅方向の位置を規制している。
【００３４】
第１のリール４は、第２のリール５（後述）から引き出された磁気テープ６を巻き回すことができる。第１のリール４は、予め磁気テープ駆動装置内に配されている。第１のリール４は、制御部１２によって駆動制御されるモータ２１によって矢印ＥまたはＧに示す方向へ回転駆動される。
【００３５】
第２のリール５は、磁気テープ駆動装置に着脱可能なカートリッジ（不図示）内に配されている。第２のリール５は、カートリッジ（不図示）を装置内に装着した際に、装置内に配されているリール台（不図示）に装着される。リール台は、制御部１２によって駆動制御されるモータ２２によって矢印ＦまたはＨに示す方向へ回転駆動される。第１のリール４が矢印Ｅに示す方向へ回転し、第２のリール５が矢印Ｆに示す方向へ回転することにより、磁気テープ６を矢印Ａに示す方向（第１の方向、フォワード方向）へ移送させることができる。また、第１のリール４が矢印Ｇに示す方向へ回転し、第２のリール５が矢印Ｈに示す方向へ回転することにより、磁気テープ６を矢印Ｂに示す方向（第２の方向、リバース方向）へ移送させることができる。
【００３６】
磁気テープ６は、データ記録用の磁気テープである。第２のリール５から引き出された磁気テープ６は、テープガイド３、磁気ヘッド１、テープガイド２の順に接触され、第１のリール４に巻回される。磁気テープ６は、本実施の形態ではＬＴＯ規格に準拠した磁気テープで実現したが、これに限定されるものではない。
【００３７】
ヘッド変位部７は、本実施の形態では、ボイスコイルモータで実現したが、これに限定されない。ヘッド変位部７は、変位制御部１４からのトラッキングサーボ制御に基づいて、磁気ヘッド１を図３に示す矢印Ｃ及びＤに示す方向（磁気テープ６の幅方向）に変位させることができる。すなわち、本実施の形態の磁気テープ駆動装置は、ＬＴＯ規格に準拠したフォーマットで磁気テープ６にデータを記録する装置である、したがって、磁気ヘッド１は、データ記録時に磁気テープ６の幅方向に平行な複数のトラックを形成するため、およびデータ再生時に磁気テープの幅方向に形成された複数のトラックを選択的にトレースするために、磁気テープ６の幅方向へ変位可能である。なお、磁気テープ６に対する磁気ヘッド１のトラッキング動作については、例えば特許第４１３９４２８号公報に開示されているため、本明細書での詳しい説明は省略する。
【００３８】
操作部１１は、ユーザによる記録命令や停止命令などの各種操作を受け付ける。操作部１１は、ユーザによる各種操作を受け付けると、制御信号を制御部１２に送る。
【００３９】
制御部１２は、操作部１１から制御信号が送られると、その制御信号の内容に応じて、記録再生制御部１３、変位制御部１４、モータ２１及び２２を制御する。具体的には、制御部１２は、記録再生制御部１３に対して、磁気テープ６に情報を記録するための命令信号、および磁気テープ６に記録されている情報を読み出すための命令信号を出力する。制御部１２は、変位制御部１４に対して、磁気ヘッド１を磁気テープ６の幅方向へ変位させるための命令を送る。制御部１２は、モータ２１及び２２に対して、動作開始または動作停止させるための命令を送る。
【００４０】
記録再生制御部１３は、制御部１２からの制御指令により、磁気ヘッド１を記録動作あるいは再生動作させる。具体的には、記録再生制御部１３は、磁気ヘッド１に含まれる複数のヘッド素子ＣＨ０〜ＣＨ７（図１参照）に所定の電流を流すよう制御して、磁気ヘッド１における磁気テープ６との摺接部近傍に磁界を発生させる。これにより、磁気テープ６に対してデータを記録する。また磁気テープ６に記録されているデータ信号から発生する磁界を、磁気ヘッド６のヘッド素子に流した電流の変化から検出することにより、データを読み込んだりすることができる。本実施の形態では、磁気ヘッド１に含まれる複数のヘッド素子ＣＨ０〜ＣＨ７の中のヘッド素子ＣＨ０〜ＣＨ３をグループＡのヘッド素子、ヘッド素子ＣＨ４〜ＣＨ７をグループＢのヘッド素子として、記録再生制御部１３は、少なくとも磁気テープ６に記録されているデータを読み込む際、グループＡのヘッド素子であるヘッド素子ＣＨ０〜ＣＨ３の動作と、グループＢのヘッド素子であるヘッド素子ＣＨ４〜ＣＨ７の動作とを、独立して制御可能である。
【００４１】
変位制御部１４は、ヘッド変位部７に対して磁気ヘッド１を磁気テープ６の幅方向へ変位させる命令を送る。具体的には、変位制御部１４は、ヘッド変位部７が例えばボイスコイルモータで実現されている場合は、ボイスコイルモータに対して駆動電流を印加する。
【００４２】
〔２．データ記録時の動作〕
図４は、本実施の形態にかかる磁気テープ装置で生成可能なデータの構造を示す。図４は、ホストコンピューター３１及び磁気テープ装置３２で生成されるデータの遷移を示している。
【００４３】
磁気テープにデータを記録する場合は、まずユーザーがホストコンピューター３１を操作して、ユーザーファイルを作成する。ユーザーファイルのサイズは、例えばＬＴＯ規格では最大約１．６ＭＢｙｔｅである。作成されたユーザーファイルは、ホストコンピューター３１においてエラー訂正コードが付加されて、プロテクテドレコードＰに変換される。
【００４４】
プロテクテドレコードＰは、ケーブルなどの通信手段を介して磁気テープ装置３２へ伝送され、磁気テープ装置３２内のバッファメモリに一時的に格納される。
【００４５】
磁気テープ装置３２は、ホストコンピューター３１から順次伝送されるプロテクテドレコードＰをグループＡとグループＢとに振り分ける。本実施の形態では、ホストコンピューター３１から伝送されるプロテクテドレコードＰを交互にグループＡとグループＢとに振り分ける。これにより、グループＡには、プロテクテドレコードＰ１、Ｐ３、・・・Ｐｍが振り分けられる。また、グループＢには、プロテクテドレコードＰ２、Ｐ４、・・・Ｐｎが振り分けられる。なお、本実施の形態における振り分け方法は一例である。
【００４６】
次に、磁気テープ装置３２は、グループＡ及びＢに含まれる各プロテクテドレコードを、それぞれ例えば４０３８８４Ｂｙｔｅのサイズ毎に分割する。次に、分割したプロテクテドレコードに、例えば４６８ＢｙｔｅのＤＳＩＴ（Data Set Information Table）を付加して、４０４３５２ＢｙｔｅのデータセットＤ１、Ｄ２、・・・Ｄｍを作成する。
【００４７】
次に、磁気テープ装置３２は、作成したデータセットを例えば２５２７２Ｂｙｔｅに分割する。次に、分割したデータセットにエラー訂正コード（ＥＣＣ：Error Correcting Code）を付加して、サブデータセットＳ１、Ｓ２、・・・Ｓｎを作成する。サブデータセットは、単独でエラー訂正が行えるエラー訂正処理単位である。
【００４８】
なお、上記のようにホストコンピューター３１から伝送されるプロテクテドレコードＰに基づきサブデータセットＳ１、Ｓ２、・・・Ｓｎを作成するまでの処理は、図２に示す制御部１２で実行することができる。
【００４９】
また、グループＢについても同様にデータセット及びサブデータセットが作成されるが、図４では図示を省略している。また、グループＡに対応するデータセット及びサブデータセットの作成処理と、グループＢに対応するデータセット及びサブデータセットの作成処理とは、同時に実行することが好ましい。
【００５０】
次に、磁気テープ装置３２は、作成したサブデータセットをさらに分割してグループＡ、グループＢ内の複数のデータトラックに分散して、磁気テープにデータを記録する。以下、記録動作について図５Ａ、図５Ｂ、および図５Ｃを参照して説明する。
【００５１】
図５Ａ、図５Ｂは、磁気テープに記録するデータの構造を示す模式図である。図５Ｃは、磁気テープにおけるデータトラックを示す模式図である。図５Ｃにおいて、矢印方向は磁気テープの長手方向に対応し、矢印方向に直交する方向はデータトラックＤＴ０〜ＤＴ７を示している。格子により囲まれた領域は、データが記録可能な領域である。ドットハッチングを付している領域は、グループＡ、Ｂにおける１番目のサブテータセットＳ１から分割されたデータが記録されている領域であり、１つのサブデータセットから分割されたデータブロックのデータトラック上における分散の様子を示す。
【００５２】
磁気テープにデータを記録する場合、制御部１２は、まずグループＡに対応する１番目のサブデータセットＳ１を６４個（＝４トラック×１６）のデータブロックＡ１、Ａ２、・・・Ａｎに分割処理し、グループＢに対応する１番目のデータセットＳ１を６４個（＝４トラック×１６）のデータブロックＢ１、Ｂ２、・・・Ｂｎに分割処理する。続いてグループＡ、Ｂにおける２番目から４番目に対応するサブデータセットＳ２、Ｓ３、Ｓ４も同様に分割処理する。
【００５３】
制御部１２は、グループＡにおける１番目から４番目に対応するサブデータセットから作成したデータブロックＡ１、Ｃ１、Ｅ１、Ｇ１・・・Ａｎ、Ｃｎ、Ｅｎ、ＧｎとグループＢにおける１番目から４番目に対応するサブデータセットから作成したデータブロックＢ１、Ｄ１、Ｆ１、Ｈ１・・・Ｂｎ、Ｄｎ、Ｆｎ、Ｈｎとを、記録再生制御部１３に送る。記録再生制御部１３は、磁気ヘッド１におけるヘッド素子ＣＨ０〜ＣＨ３を動作させて、データブロックＡ１、Ｃ１、Ｅ１、Ｇ１・・・Ａｎ、Ｃｎ、Ｅｎ、Ｇｎを磁気テープ６におけるデータトラックＤＴ０〜ＤＴ３に記録するよう制御する。また、記録再生制御部１３は、磁気ヘッド１におけるヘッド素子ＣＨ４〜ＣＨ７を動作させて、データブロックＢ１、Ｄ１、Ｆ１、Ｈ１・・・Ｂｎ、Ｄｎ、Ｆｎ、Ｈｎを磁気テープ６におけるデータトラックＤＴ４〜ＤＴ７に記録するよう制御する。
【００５４】
具体的には、図５Ｃに示すように、まずヘッド素子ＣＨ０、ＣＨ１、ＣＨ２、ＣＨ３を動作させてデータブロックＡ１、Ｃ１、Ｅ１、Ｇ１をデータトラックＤＴ０、ＤＴ１、ＤＴ２、ＤＴ３に記録する動作と、ヘッド素子ＣＨ４、ＣＨ５、ＣＨ６、ＣＨ７を動作させてデータブロックＢ１、Ｄ１、Ｆ１、Ｈ１をデータトラックＤＴ４、ＤＴ５、ＤＴ６、ＤＴ７に記録する動作とを同時に実行する。次に、ヘッド素子ＣＨ０、ＣＨ１、ＣＨ２、ＣＨ３を動作させてデータブロックＣ２、Ｅ２、Ｇ２、Ａ２をデータトラックＤＴ０、ＤＴ１、ＤＴ２、ＤＴ３に記録する動作と、ヘッド素子ＣＨ４、ＣＨ５、ＣＨ６、ＣＨ７を動作させてデータブロックＤ２、Ｆ２、Ｈ２、Ｂ２をデータトラックＤＴ４、ＤＴ５、ＤＴ６、ＤＴ７に記録する動作とを同時に実行する。次に、ヘッド素子ＣＨ０、ＣＨ１、ＣＨ２、ＣＨ３を動作させてデータブロックＥ３、Ｇ３、Ａ３、Ｃ３をデータトラックＤＴ０、ＤＴ１、ＤＴ２、ＤＴ３に記録する動作と、ヘッド素子ＣＨ４、ＣＨ５、ＣＨ６、ＣＨ７を動作させてデータブロックＦ３、Ｈ３、Ｂ３、Ｄ３をデータトラックＤＴ４、ＤＴ５、ＤＴ６、ＤＴ７に記録する動作とを同時に実行する。次に、ヘッド素子ＣＨ０、ＣＨ１、ＣＨ２、ＣＨ３を動作させてデータブロックＧ４、Ａ４、Ｃ４、Ｅ４をデータトラックＤＴ０、ＤＴ１、ＤＴ２、ＤＴ３に記録する動作と、ヘッド素子ＣＨ４、ＣＨ５、ＣＨ６、ＣＨ７を動作させてデータブロックＨ４、Ｂ４、Ｄ４、Ｆ４をデータトラックＤＴ４、ＤＴ５、ＤＴ６、ＤＴ７に記録する動作とを同時に実行する。以降、上記と同様に、図５Ｃに示す配置及び記録順で、グループＡに対応するデータブロックをデータトラックＤＴ０、ＤＴ１、ＤＴ２、ＤＴ３に記録し、グループＢに対応するデータブロックをデータトラックＤＴ４、ＤＴ５、ＤＴ６、ＤＴ７に記録する。
【００５５】
ここで、非特許文献１に開示されている記録方法では、ホストコンピューターから伝送されるプロテクテドレコードをグループ分けする処理は行っていないため、１つのサブデータセットから分割した８チャンネルのデータブロックを磁気テープの幅方向及び長手方向に順次記録する方法であった。本実施の形態では、ホストコンピューターから伝送されるプロテクテドレコードを複数のグループに分け、そのグループ毎にデータブロックを作成し、図５Ａ〜図５Ｃに示すようにグループ毎に１つのサブデータセットから分割した４チャンネルのデータブロックを磁気テープの幅方向及び長手方向に順次記録する方法である。
【００５６】
本実施の形態では、グループＡ及びＢに対応するデータブロックを、磁気テープ６に同時に記録することができるので、磁気テープ装置が持っている最大の転送レートでデータを記録することができる。
【００５７】
〔３．データ再生時の動作〕
図６Ａは、ヘッド素子ＣＨ０〜ＣＨ３でデータトラックＤＴ０〜ＤＴ３をトレースしている状態を示す模式図である。図６Ｂは、ヘッド素子ＣＨ４〜ＣＨ７でデータトラックＤＴ４〜ＤＴ７をトレースしている状態を示す模式図である。図６Ａ及び図６Ｂに示す磁気テープ６は、幅方向の寸法が増加した磁気テープである。図６Ａに示す状態と図６Ｂに示す状態とは、磁気ヘッド１の位置が異なる。
【００５８】
図６Ａ及び図６Ｂに示すように幅方向の寸法が拡大した磁気テープ６に対して、データトラックＤＴ３及びＤＴ４を基準にトラッキングサーボを行うと、図１に示す磁気テープ１００ｂのようにデータトラックＤＴ０及びＤＴ７に対してヘッド素子が大きく外れてしまうことになる（オフトラック量が最大）。そこで本実施の形態では、図５Ａ〜図５Ｃに示すように、磁気テープ６に２つのグループＡ及びＢに分けたデータブロックを記録する構成としたことによって、データ再生時、グループＡ及びＢに対応するデータブロックのうちいずれか一方にトラッキングサーボを行うことで、オフトラック量を低減させている。以下、データ再生時の動作について詳しく説明する。
【００５９】
図７は、データ再生時の動作を示すフローチャートである。図８は、グループＡに対応するデータブロックを読み込む時の動作を示すフローチャートである。
【００６０】
図７に示すようにデータ再生始端部からデータ再生時、制御部１２は、まず記録再生制御部１３に対してグループＡ及びＢに対応するデータブロック（８ＣＨ）を同時に読み込む命令を送る。記録再生制御部１３は、制御部１２からの命令に基づき、磁気ヘッド１における全てのヘッド素子ＣＨ０〜ＣＨ７を動作させて、データトラックＤＴ０〜ＤＴ７に記録されているデータブロックを読み込む。例えばこのとき、グループＡ及びＢに対応するデータブロックをそれぞれ約１０ＭＢｙｔｅ（例えば２５データセット、１０．０９７１ＭＢｙｔｅ）づつ読み込む。記録再生制御部１３は、ヘッド素子ＣＨ０〜ＣＨ７により読み込まれたデータブロックを、制御部１２に送る。制御部１２は、記録再生制御部１３から送られるデータブロックからサブデータセットを復元する（Ｓ７１）。
【００６１】
次に、制御部１２は、グループＡ、Ｂのそれぞれにおいて、サブデータセットに付加されているエラー訂正コード（ＥＣＣ）に基づき、エラー訂正を行い、同時にエラーレートを算出する。エラーレートは、エラー訂正コードで検出されたエラー数（単位：Ｂｙｔｅ）をデータ容量（単位：Ｂｙｔｅ）で除算することで算出することができる（Ｓ７２）。
【００６２】
次に、制御部１２は、グループＡにおけるエラーレートと、グループＢにおけるエラーレートと、第１の上限値（例えば１０-5）とを比較する（Ｓ７３）。
【００６３】
制御部１２は、比較処理Ｓ７３の結果、グループＡ及びＢの両方において、エラーレートが第１の上限値以下の場合は、ヘッド素子ＣＨ０〜ＣＨ７でデータトラックＤＴ０〜ＤＴ７のデータブロックを同時に読み込む処理（８チャンネル同時読み込み）を継続する。すなわち、「グループＡ及びＢの両方においてエラーレートが第１の上限値以下の場合」とは、ヘッド素子ＣＨ０〜ＣＨ７がそれぞれデータトラックＤＴ０〜ＤＴ７にオントラックし、データトラックＤＴ０〜ＤＴ７におけるデータを確実に読み込むことができることを示している。したがって、８チャンネル同時読み込み処理を実行することができる。この場合、磁気テープ装置が持っている最大の転送レートでデータを読み込むことができる（Ｓ７４）。
【００６４】
一方、制御部１２は、比較処理Ｓ７３の結果、グループＡ及びＢのうち少なくともいずれか一方においてエラーレートが第１の上限値を超えると、８チャンネル同時読み込み処理から４チャンネル同時読み込み処理へ移行する。具体的には、まず、ヘッド素子ＣＨ４〜ＣＨ７の動作を停止させて、データ再生始端部からヘッド素子ＣＨ０〜ＣＨ３のみでデータトラックＤＴ０〜ＤＴ３のデータブロックを読み込むよう制御する（Ｓ７５）。次に、ヘッド素子ＣＨ０〜ＣＨ３の動作を停止させて、データ再生始端部に戻り、ヘッド素子ＣＨ４〜ＣＨ７を動作させてデータトラックＤＴ４〜ＤＴ７のデータブロックを読み込むよう制御する（Ｓ７６）。
【００６５】
すなわち、磁気テープ６の幅方向の寸法変化などによりオフトラック量が大きくなっている場合は、８チャンネル同時読み込み処理を行ったときに得られるデータに基づき算出されるエラーレートが高くなる。したがって、算出されたエラーレートと第１の上限値とを比較して、エラーレートが第１の上限値よりも高い場合は、磁気テープ６の幅方向の寸法変化などによりオフトラック量が大きくなっていると判断することができる。本実施の形態では、この判断に基づき、８チャンネル同時読み込み処理から、４チャンネル同時読み込み処理（Ｓ７５、Ｓ７６）へ移行する。
【００６６】
図８に示すように、グループＡに対応するデータブロックを読み込む場合は、まず磁気ヘッド１を磁気テープ６の幅方向（図３における矢印Ｃに示す方向）へ変位させる。具体的には、磁気ヘッド１を、８チャンネルのデータトラックＤＴ０〜ＤＴ７のうちの中央のデータトラックＤＴ３及びＤＴ４に対してトラッキングサーボを行っている位置から、矢印Ｃに示す方向へ、例えばトラック幅の１／８の移動量について変位させる（Ｓ８１）。
【００６７】
次に、制御部１２は、記録再生制御部１３に対してグループＡに対応するデータブロック（４ＣＨ）を同時に読み込む命令を送る。記録再生制御部１３は、制御部１２からの命令に基づき、磁気ヘッド１におけるヘッド素子ＣＨ０〜ＣＨ３を動作させて、データトラックＤＴ０〜ＤＴ３に記録されているデータブロックを読み込む。例えばこのとき、グループＡに対応するデータブロックＡ１、Ｃ１、Ｅ１、Ｇ１・・・Ａｎ、Ｃｎ、Ｅｎ、Ｇｎを約１０ＭＢｙｔｅ（例えば２５データセット、１０．０９７１ＭＢｙｔｅ）読み込む。記録再生制御部１３は、ヘッド素子ＣＨ０〜ＣＨ３により読み込まれたデータブロックを、制御部１２に送る。制御部１２は、記録再生制御部１３から送られるデータブロックからサブデータセットを復元する（Ｓ８２）。
【００６８】
次に、制御部１２は、グループＡのデータブロック（サブデータセット）に付加されているエラー訂正コード（ＥＣＣ）に基づき、エラー訂正を行い、同時にエラーレートを算出する。エラーレートは、エラー訂正コードで検出されたエラー数（単位：Ｂｙｔｅ）をデータ容量（単位：Ｂｙｔｅ）で除算することで算出することができる（Ｓ８３）。
【００６９】
次に、制御部１２は、算出したエラーレートと第２の上限値（例えば１０-6）とを比較する（Ｓ８４）。
【００７０】
制御部１２は、比較処理Ｓ８４の結果、算出したエラーレートが第２の上限値以下の場合は、磁気ヘッド１及び磁気テープ６を読み込み開始位置へ戻し、ヘッド素子ＣＨ０〜ＣＨ３でデータトラックＤＴ０〜ＤＴ３のデータブロックを同時に読み込む処理（４チャンネル同時読み込み）を開始する。このまま、読み込み終了位置まで、データブロックの読み込みを実行する（Ｓ８５）。
【００７１】
一方、制御部１２は、比較処理Ｓ８４の結果、算出したエラーレートが第２の上限値を超えると、磁気ヘッド１の変位方向を反転させる。すなわち、磁気ヘッド１を任意の位置から磁気テープ６の幅方向へ変位させたとき、磁気ヘッド１の変位方向がオフトラック量が小さくなる方向である場合は、エラーレートが小さくなるはずである。結果的に、磁気ヘッド１の変位後にエラーレートが高くなるということは、オフトラック量が大きくなったことを示し、磁気ヘッド１の変位方向が誤っているということが考えられる。よって、エラーレートが増加して第２の上限値を超えると、磁気ヘッド１の変位方向が誤っていると判断し、磁気ヘッド１の変位方向を反転させる（Ｓ８６）。
【００７２】
以降、Ｓ８１〜Ｓ８４、Ｓ８６の処理を繰り返し実行することで、磁気ヘッド１を少しずつ矢印ＣまたはＤに示す方向へ変位させながら、エラーレートが第２の上限値（１０-6）よりも小さくなる位置を探す。磁気ヘッド１を、エラーレートが第２の上限値よりも小さくなる位置へ変位させることにより、図６Ａに示すようにヘッド素子ＣＨ０〜ＣＨ３をデータトラックＤＴ０〜ＤＴ３にオントラックさせることができる。
【００７３】
なお、ヘッド素子ＣＨ４〜ＣＨ７でデータトラックＤＴ４〜ＤＴ７のデータブロックＢ１、Ｄ１、Ｆ１、Ｈ１・・・Ｂｎ、Ｄｎ、Ｆｎ、Ｈｎを読み込む動作は、磁気ヘッド１の変位方向以外は図８に示すフローと同等であるため、詳細な説明は省略する。すなわち、データ再生始端部に戻り、図８に示すフローに基づいて磁気ヘッド１を磁気テープ６の幅方向へ変位させ、図６Ｂに示すようにヘッド素子ＣＨ４〜ＣＨ７をデータトラックＤＴ４〜ＤＴ７にオントラックさせることで、データブロックＢ１、Ｄ１、Ｆ１、Ｈ１・・・Ｂｎ、Ｄｎ、Ｆｎ、Ｈｎを読み込むことができる。
【００７４】
〔４．磁気テープ装置の動作の変形例１〕
本実施の形態では、８チャンネル同時読み込み動作と４チャンネル同時読み込み動作とを切り替える判断方法として、エラーレートと上限値とを比較した結果を用いているが、再生出力レベルと上限値とを比較した結果を用いる構成としてもよい。
【００７５】
図９は、データ再生時の動作の変形例を示すフローチャートである。図１０は、グループＡに対応するデータブロックを読み込む時の動作を示すフローチャートである。
【００７６】
図９に示すようにデータ再生始端部からデータ再生時、制御部１２は、まず記録再生制御部１３に対してグループＡ及びＢに対応するデータブロック（８ＣＨ）を同時に読み込む命令を送る。記録再生制御部１３は、制御部１２からの命令に基づき、磁気ヘッド１における全てのヘッド素子ＣＨ０〜ＣＨ７を動作させて、データトラックＤＴ０〜ＤＴ７に記録されているデータブロックを読み込む。例えばこのとき、グループＡ及びＢに対応するデータブロックをそれぞれ約２ＭＢｙｔｅ（例えば５データセット、２．０２１７６ＭＢｙｔｅ）づつ読み込む。記録再生制御部１３は、ヘッド素子ＣＨ０〜ＣＨ７により読み込まれたデータブロックの再生信号レベルの平均値をグループＡ、Ｂのそれぞれにおいて算出する（Ｓ９２）。次に記録再生制御部１３はグループＡにおける再生出力レベルの平均値と、グループＢにおける再生出力レベルの平均値と、第１の所定値とを比較する（Ｓ９３）。記録再生制御部１３は、比較処理Ｓ９３の結果、グループＡ及びＢの両方において、再生出力レベルの平均値が第１の所定値以上の場合は、読み込んだデータブロックを、制御部１２に送り、制御部１２は、記録再生制御部１３から送られるデータブロックからサブデータセットを復元する。
【００７７】
次に、制御部１２は、グループＡ、Ｂのそれぞれにおいて、サブデータセットに付加されているエラー訂正コード（ＥＣＣ）に基づきエラー訂正を行う。以後、制御部１２と記録再生制御部１３は、ヘッド素子ＣＨ０〜ＣＨ７でデータトラックＤＴ０〜ＤＴ７のデータブロックを同時に読み込む処理（８チャンネル同時読み込み）を継続する。すなわち、「グループＡ及びＢの両方において再生出力レベルの平均値が第１の所定値以上の場合」とは、ヘッド素子ＣＨ０〜ＣＨ７がそれぞれデータトラックＤＴ０〜ＤＴ７にオントラックし、データトラックＤＴ０〜ＤＴ７におけるデータを確実に読み込むことができることを示している。したがって、８チャンネル同時読み込み処理を実行することができる。この場合、磁気テープ装置が持っている最大の転送レートでデータを読み込むことができる（Ｓ９４）。
【００７８】
一方、記録再生制御部１３は、比較処理Ｓ９３の結果、グループＡ及びＢのうち少なくともいずれか一方において再生出力レベルの平均値が第１の所定値未満の場合は、制御部１２に対して、８チャンネル同時読み込み処理から４チャンネル同時読み込み処理へ移行する命令を送る。記録再生制御部１３から送られてきた命令に基づき、制御部１２は８チャンネル同時読み込み処理から４チャンネル同時読み込み処理へ移行する。具体的には、まず、ヘッド素子ＣＨ４〜ＣＨ７の動作を停止させて、データ再生始端部からヘッド素子ＣＨ０〜ＣＨ３のみでグループＡに対応するデータトラックＤＴ０〜ＤＴ３のデータブロックを読み込むよう制御する（Ｓ９５）。次に、ヘッド素子ＣＨ０〜ＣＨ３の動作を停止させて、データ再生始端部に戻り、ヘッド素子ＣＨ４〜ＣＨ７を動作させてデータトラックＤＴ４〜ＤＴ７のデータブロックを読み込むよう制御する（Ｓ９６）。
【００７９】
すなわち、磁気テープ６の幅方向の寸法変化などによりオフトラック量が大きくなっている場合は、８チャンネル同時読み込み処理を行ったときに得られるデータの再生出力レベルが低くなる。したがって、検出された再生出力レベルの平均値と第１の所定値とを比較して、再生出力レベルの平均値が第１の所定値未満の場合は、磁気テープ６の幅方向の寸法変化などによりオフトラック量が大きくなっていると判断することができる。本実施の形態では、この判断に基づき、８チャンネル同時読み込み処理から、４チャンネル同時読み込み処理（Ｓ９５、Ｓ９６）へ移行する。この場合、基準となる信号を予め記録し、この信号の出力レベルと再生出力レベルとを比較することが好ましい。
【００８０】
なお、本実施の形態では、再生出力レベルの平均値と第１の所定値とを比較する構成としたが、各グループに含まれる複数のデータブロックの再生出力レベルのうち、各グループにおける特定のデータブロックの再生出力レベルと第１の所定値とを比較する構成としてもよい。また、各グループ毎に、複数のデータブロックの再生出力レベルのうち上限値または下限値と、第１の所定値とを比較する構成としてもよい。
【００８１】
また、本実施の形態では、グループＡ，Ｂのそれぞれにおいて算出した再生出力レベルの平均値と第１の所定値とを比較する構成としたが、グループＡ，Ｂの全ての再生出力レベルの平均値と第１の所定値とを比較する構成としてもよい。
【００８２】
図１０に示すように、グループＡに対応するデータブロックを読み込む場合は、まず磁気ヘッド１を磁気テープ６の幅方向（図３における矢印Ｃに示す方向）へ変位させる。具体的には、磁気ヘッド１を、８チャンネルのデータトラックＤＴ０〜ＤＴ７のうちの中央のデータトラックＤＴ３及びＤＴ４に対してトラッキングサーボを行っている位置から、矢印Ｃに示す方向へ、例えばトラック幅の１／８の移動量について変位させる（Ｓ１０１）。
【００８３】
次に、制御部１２は、記録再生制御部１３に対してグループＡに対応するデータブロック（４ＣＨ）を同時に読み込む命令を送る。記録再生制御部１３は、制御部１２からの命令に基づき、磁気ヘッド１におけるヘッド素子ＣＨ０〜ＣＨ３を動作させて、データトラックＤＴ０〜ＤＴ３に記録されているデータブロックを読み込む（Ｓ１０２）。例えばこのとき、グループＡに対応するデータブロックＡ１、Ｃ１、Ｅ１、Ｇ１・・・Ａｎ、Ｃｎ、Ｅｎ、Ｇｎを約２ＭＢｙｔｅ（例えば２５データセット、２．０２１７６ＭＢｙｔｅ）読み込む。記録再生制御部１３は、ヘッド素子ＣＨ０〜ＣＨ３により読み込まれたデータブロックの再生信号レベルの平均値を算出する（Ｓ１０３）。
【００８４】
次に、記録再生制御部１３はグループＡにおける再生出力レベルの平均値と、第２の所定値とを比較する（Ｓ１０４）。
【００８５】
記録再生制御部１３は、比較処理Ｓ１０４の結果、再生出力レベルの平均値が第２の所定値以上の場合は、制御部１２に対してヘッド素子ＣＨ０〜ＣＨ３でグループＡに対応するデータトラックＤＴ０〜ＤＴ３のデータブロックを同時に読み込む処理（４チャンネル同時読み込み）を開始する命令を送る。記録再生制御部１３からの命令に基づき、制御部１２は、磁気ヘッド１及び磁気テープ６を読み込み開始位置へ戻し、ヘッド素子ＣＨ０〜ＣＨ３でデータトラックＤＴ０〜ＤＴ３のデータブロックを同時に読み込む処理を、読み込み終了位置まで実行する（Ｓ１０５）。
【００８６】
一方、記録再生制御部１３は、比較処理Ｓ１０４の結果、再生出力レベルの平均値が第２の所定値未満の場合は、制御部１２に対して磁気ヘッド１の変位方向を反転させる命令を送る。すなわち、磁気ヘッド１を任意の位置から磁気テープ６の幅方向へ変位させたとき、磁気ヘッド１の変位方向がオフトラック量が小さくなる方向である場合は、再生出力レベルが大きくなるはずである。結果的に、磁気ヘッド１の変位後に再生出力レベルが低くなるということは、オフトラック量が大きくなったことを示し、磁気ヘッド１の変位方向が誤っているということが考えられる。よって、再生出力レベルが低下してその平均値が第２の所定値未満になると、磁気ヘッド１の変位方向が誤っていると判断し、磁気ヘッド１の変位方向を反転させる（Ｓ１０６）。
【００８７】
以降、制御部１２と記録再生制御部１３は、Ｓ１０１〜Ｓ１０４、Ｓ１０６の処理を繰り返し実行することで、磁気ヘッド１を少しずつ矢印ＣまたはＤに示す方向へ変位させながら、再生出力レベルの平均値が第２の所定値以上となる位置を探す。磁気ヘッド１を、再生出力レベルの平均値が第２の所定値以上となる位置へ変位させることにより、図６Ａに示すようにヘッド素子ＣＨ０〜ＣＨ３をデータトラックＤＴ０〜ＤＴ３にオントラックさせることができる。
【００８８】
なお、ヘッド素子ＣＨ４〜ＣＨ７でグループＡに対応するデータトラックＤＴ４〜ＤＴ７のデータブロックＢ１、Ｄ１、Ｆ１、Ｈ１・・・Ｂｎ、Ｄｎ、Ｆｎ、Ｈｎを読み込む動作は、磁気ヘッド１の変位方向以外は図１０に示すフローと同等であるため、詳細な説明は省略する。すなわち、データ再生始端部に戻り、図１０に示すフローに基づいて磁気ヘッド１を磁気テープ６の幅方向へ変位させ、図６Ｂに示すようにヘッド素子ＣＨ４〜ＣＨ７をデータトラックＤＴ４〜ＤＴ７にオントラックさせることで、データブロックＢ１、Ｄ１、Ｆ１、Ｈ１・・・Ｂｎ、Ｄｎ、Ｆｎ、Ｈｎを読み込むことができる。
【００８９】
なお、本実施の形態では、再生出力レベルの平均値と第２の所定値とを比較する構成としたが、各グループに含まれる複数のデータブロックの再生出力レベルのうち、各グループにおける特定のデータブロックの再生出力レベルと第２の所定値とを比較する構成としてもよい。また、各グループ毎に、複数のデータブロックの再生出力レベルのうち上限値または下限値と、第２の所定値とを比較する構成としてもよい。
【００９０】
〔５．磁気テープ装置の動作の変形例２〕
上記説明では、本実施の形態にかかる磁気テープ装置は、ホストコンピューターから送られるプロテクテドレコードを２つに分割して、磁気テープに記録する構成としているが、プロテクテドレコードの分割数は「２」に限らない。以下、データ記録時の動作の変形例として、プロテクテドレコードの分割数を「４」としたときの動作について説明する。
【００９１】
図１１は、本実施の形態にかかる磁気テープ装置で生成可能なデータの構造を示す。図１１は、ホストコンピューター３１及び磁気テープ装置３２で生成されるデータの遷移を示している。
【００９２】
磁気テープにデータを記録する場合は、まずユーザーがホストコンピューター３１を操作して、ユーザーファイルを作成する。ユーザーファイルのサイズは、例えばＬＴＯ規格では最大約１．６ＭＢｙｔｅである。作成されたユーザーファイルは、ホストコンピューター３１においてエラー訂正コードが付加されて、プロテクテドレコードＰに変換される。
【００９３】
プロテクテドレコードＰは、ケーブルなどの通信手段を介して磁気テープ装置３２へ伝送され、磁気テープ装置３２内のバッファメモリに一時的に格納される。
【００９４】
磁気テープ装置３２は、ホストコンピューター３１から順次伝送されるプロテクテドレコードＰをグループＡ、グループＢ、グループＣ、およびグループＤに振り分ける。本実施の形態では、ホストコンピューター３１から伝送されるプロテクテドレコードＰを順次にグループＡ〜Ｄに振り分ける。これにより、グループＡには、プロテクテドレコードＰ１１、Ｐ１５、・・・Ｐｐが振り分けられる。また、グループＢには、プロテクテドレコードＰ１２、Ｐ１６、・・・Ｐｑが振り分けられる。また、グループＣには、プロテクテドレコードＰ１３、Ｐ１７、・・・Ｐｒが振り分けられる。また、グループＤには、プロテクテドレコードＰ１４、Ｐ１８、・・・Ｐｓが振り分けられる。なお、本実施の形態における振り分け方法は一例である。
【００９５】
次に、磁気テープ装置３２は、各グループＡ〜Ｄに含まれる各プロテクテドレコードを、それぞれ例えば４０３８８４Ｂｙｔｅのサイズ毎に分割する。次に、分割したプロテクテドレコードに、例えば４６８ＢｙｔｅのＤＳＩＴ（Data Set Information Table）を付加して、４０４３５２ＢｙｔｅのデータセットＤ１、Ｄ２、・・・Ｄｍを作成する。
【００９６】
次に、磁気テープ装置３２は、作成したデータセットを例えば２５２７２Ｂｙｔｅに分割する。次に、分割したデータセットにエラー訂正コード（ＥＣＣ：Error Correcting Code）を付加して、サブデータセットＳ１、Ｓ２、・・・Ｓｎを作成する。サブデータセットは、単独でエラー訂正が行えるエラー訂正処理単位である。
【００９７】
なお、上記のようにホストコンピューター３１から伝送されるプロテクテドレコードＰに基づきサブデータセットＳ１、Ｓ２、・・・Ｓｎを作成するまでの処理は、図２に示す制御部１２で実行することができる。
【００９８】
また、グループＢ〜Ｄについても同様にデータセット及びサブデータセットが作成されるが、図１１では図示を省略している。また、グループＡに対応するデータセット及びサブデータセットの作成処理と、グループＢ〜Ｄに対応するデータセット及びサブデータセットの作成処理とは、同時に実行することが好ましい。
【００９９】
次に、磁気テープ装置３２は、作成したサブデータセットをさらに分割してグループＡ、〜Ｄ内の複数のデータトラックに分散して、磁気テープにデータを記録する。以下、記録動作について図１２Ａ〜図１２Ｅを参照して説明する。
【０１００】
図１２Ａ、図１２Ｂ、図１２Ｃ、および図１２Ｄは、磁気テープに記録するデータの構造を示す模式図である。図１２Ｅは、磁気テープにおけるデータトラックを示す模式図である。図１２Ｅにおいて、矢印方向は磁気テープの長手方向に対応し、矢印方向に直交する方向はデータトラックＤＴ０〜ＤＴ７を示している。格子により囲まれた領域は、データが記録可能な領域である。ドットハッチングを付している領域は、グループＡにおける１番目のサブテータセットＳ１から分割されたデータが記録されている領域であり、１つのサブデータセットから分割されたデータブロックのデータトラック上における分散の様子を示す。
【０１０１】
磁気テープにデータを記録する場合、制御部１２は、まず図１２Ａに示すように、グループＡに対応する１番目のサブデータセットＳ１を６４個（＝２トラック×３２）のデータブロックＡ１、Ａ２、・・・Ａｎに分割処理する。また、制御部１２は、図１２Ｂに示すように、グループＢに対応する１番目のデータセットＳ１を６４個（＝２トラック×３２）のデータブロックＢ１、Ｂ２、・・・Ｂｎに分割処理する。また、制御部１２は、図１２Ｃに示すように、グループＣに対応する１番目のデータセットＳ１を６４個（＝２トラック×３２）のデータブロックＣ１、Ｃ２、・・・Ｃｎに分割処理する。また、制御部１２は、図１２Ｄに示すように、グループＤに対応する１番目のデータセットＳ１を６４個（＝２トラック×３２）のデータブロックＤ１、Ｄ２、・・・Ｄｎに分割処理する。続いてグループＡ〜ＤにおけるサブデータセットＳ２も同様に分割処理する。
【０１０２】
制御部１２は、グループＡにおけるサブデータセットから作成したデータブロックＡ１、Ｅ１・・・Ａｎ、Ｅｎと、グループＢにおけるサブデータセットから作成したデータブロックＢ１、Ｆ１・・・Ｂｎ、Ｆｎと、グループＣにおけるサブデータセットから作成したデータブロックＣ１、Ｇ１・・・Ｃｎ、Ｇｎと、グループＤにおけるサブデータセットから作成したデータブロックＤ１、Ｈ１・・・Ｄｎ、Ｈｎとを、記録再生制御部１３に送る。記録再生制御部１３は、磁気ヘッド１におけるヘッド素子ＣＨ０、ＣＨ１を動作させて、データブロックＡ１、Ｅ１・・・Ａｎ、Ｅｎを磁気テープ６におけるデータトラックＤＴ０、ＤＴ１に記録するよう制御する。また、記録再生制御部１３は、磁気ヘッド１におけるヘッド素子ＣＨ２、ＣＨ３を動作させて、データブロックＢ１、Ｆ１・・・Ｂｎ、Ｆｎを磁気テープ６におけるデータトラックＤＴ２、ＤＴ３に記録するよう制御する。また、記録再生制御部１３は、磁気ヘッド１におけるヘッド素子ＣＨ４、ＣＨ５を動作させて、データブロックＣ１、Ｇ１・・・Ｃｎ、Ｇｎを磁気テープ６におけるデータトラックＤＴ４〜ＤＴ５に記録するよう制御する。また、記録再生制御部１３は、磁気ヘッド１におけるヘッド素子ＣＨ６、ＣＨ７を動作させて、データブロックＤ１、Ｈ１・・・Ｄｎ、Ｈｎを磁気テープ６におけるデータトラックＤＴ６〜ＤＴ７に記録するよう制御する。
【０１０３】
具体的には、図１２Ｅに示すように、まずヘッド素子ＣＨ０、ＣＨ１を動作させてデータブロックＡ１、Ｅ１をデータトラックＤＴ０、ＤＴ１に記録する動作と、ヘッド素子ＣＨ２、ＣＨ３を動作させてデータブロックＢ１、Ｆ１をデータトラックＤＴ２、ＤＴ３に記録する動作と、ヘッド素子ＣＨ４、ＣＨ５を動作させてデータブロックＣ１、Ｇ１をデータトラックＤＴ４、ＤＴ５に記録する動作と、ヘッド素子ＣＨ６、ＣＨ７を動作させてデータブロックＤ１、Ｈ１をデータトラックＤＴ６、ＤＴ７に記録する動作とを同時に実行する。
【０１０４】
次に、ヘッド素子ＣＨ０、ＣＨ１を動作させてデータブロックＥ２、Ａ２をデータトラックＤＴ０、ＤＴ１に記録する動作と、ヘッド素子ＣＨ２、ＣＨ３を動作させてデータブロックＦ２、Ｂ２をデータトラックＤＴ２、ＤＴ３に記録する動作と、ヘッド素子ＣＨ４、ＣＨ５を動作させてデータブロックＧ２、Ｃ２をデータトラックＤＴ４、ＤＴ５に記録する動作と、ヘッド素子ＣＨ６、ＣＨ７を動作させてデータブロックＨ２、Ｄ２をデータトラックＤＴ６、ＤＴ７に記録する動作とを同時に実行する。
【０１０５】
以降、上記と同様に、図１２Ｅに示す配置及び記録順で、グループＡに対応するデータブロックをデータトラックＤＴ０、ＤＴ１に記録し、グループＢに対応するデータブロックをデータトラックＤＴ２、ＤＴ３に記録し、グループＣに対応するデータブロックをデータトラックＤＴ４、ＤＴ５に記録し、グループＤに対応するデータブロックをデータトラックＤＴ６、ＤＴ７に記録する。
【０１０６】
本実施の形態では、グループＡ〜Ｄに対応するデータブロックを、磁気テープ６に同時に記録することができるので、磁気テープ装置が持っている最大の転送レートでデータを記録することができる。
【０１０７】
次に、データ読み込み時の動作について説明する。
【０１０８】
図６Ａ及び図６Ｂに示すように幅方向の寸法が拡大した磁気テープ６に対して、データトラックＤＴ３及びＤＴ４を基準にトラッキングサーボを行うと、図１に示す磁気テープ１００ｂのようにデータトラックＤＴ０及びＤＴ７に対してヘッド素子が大きく外れてしまうことになる（オフトラック量が最大）。そこで本実施の形態では、図１２Ａ〜図１２Ｅに示すように、磁気テープ６に４つのグループＡ〜Ｄに分けたデータブロックを記録する構成としたことによって、データ再生時、グループＡ〜Ｄに対応するデータブロックのうちいずれか一つにトラッキングサーボを行うことで、オフトラック量を低減させている。以下、データ再生時の動作について詳しく説明する。
【０１０９】
図１３は、図１２Ｅに示すパターンでデータが記録された磁気テープから、データを読み込む際の動作を示すフローチャートである。
【０１１０】
図１３に示すようにデータ再生始端部からデータ再生時、制御部１２は、まず記録再生制御部１３に対してグループＡ〜Ｄに対応するデータブロック（８チャンネル）を同時に読み込む命令を送る。記録再生制御部１３は、制御部１２からの命令に基づき、磁気ヘッド１における全てのヘッド素子ＣＨ０〜ＣＨ７を動作させて、データトラックＤＴ０〜ＤＴ７に記録されているデータブロックを読み込む。例えばこのとき、グループＡ〜Ｄに対応するデータブロックをそれぞれ約１０ＭＢｙｔｅ（例えば２５データセット、１０．０９７１ＭＢｙｔｅ）づつ読み込む。記録再生制御部１３は、ヘッド素子ＣＨ０〜ＣＨ７により読み込まれたデータブロックを、制御部１２に送る。制御部１２は、記録再生制御部１３から送られるデータブロックからサブデータセットを復元する（Ｓ７１）。
【０１１１】
次に、制御部１２は、グループＡ〜Ｄのそれぞれにおいて、サブデータセットに付加されているエラー訂正コード（ＥＣＣ）に基づき、エラー訂正を行い、同時にエラーレートを算出する。エラーレートは、エラー訂正コードで検出されたエラー数（単位：Ｂｙｔｅ）をデータ容量（単位：Ｂｙｔｅ）で除算することで算出することができる（Ｓ７２）。
【０１１２】
次に、制御部１２は、グループＡ〜Ｄのそれぞれにおけるエラーレートと第１の上限値（例えば１０-5）とを比較する（Ｓ７３）。
【０１１３】
制御部１２は、比較処理Ｓ７３の結果、グループＡ〜Ｄの全てにおいて、エラーレートが第１の上限値以下の場合は、ヘッド素子ＣＨ０〜ＣＨ７でデータトラックＤＴ０〜ＤＴ７のデータブロックを同時に読み込む処理（８チャンネル同時読み込み）を継続する。すなわち、「グループＡ〜Ｄの全てにおいてエラーレートが第１の上限値以下の場合」とは、ヘッド素子ＣＨ０〜ＣＨ７がそれぞれデータトラックＤＴ０〜ＤＴ７にオントラックし、データトラックＤＴ０〜ＤＴ７におけるデータを確実に読み込むことができることを示している。したがって、８チャンネル同時読み込み処理を実行することができる。この場合、磁気テープ装置が持っている最大の転送レートでデータを読み込むことができる（Ｓ７４）。
【０１１４】
一方、制御部１２は、比較処理Ｓ７３の結果、グループＡ〜Ｄのうち少なくともいずれか一つのグループにおいてエラーレートが第１の上限値を超えると、８チャンネル同時読み込み処理から２チャンネル同時読み込み処理へ移行する。具体的には、まず、ヘッド素子ＣＨ２〜ＣＨ７の動作を停止させて、データ再生始端部からヘッド素子ＣＨ０、ＣＨ１のみでデータトラックＤＴ０、ＤＴ１のデータブロックを読み込むよう制御する（Ｓ７５）。次に、ヘッド素子ＣＨ０、ＣＨ１の動作を停止させて、磁気テープ６をデータ再生始端部に戻し、ヘッド素子ＣＨ２、ＣＨ３を動作させてデータトラックＤＴ２、ＤＴ３のデータブロックを読み込むよう制御する（Ｓ７６）。次に、ヘッド素子ＣＨ２、ＣＨ３の動作を停止させて、磁気テープ６をデータ再生始端部に戻し、ヘッド素子ＣＨ４、ＣＨ５を動作させてデータトラックＤＴ４、ＤＴ５のデータブロックを読み込むよう制御する（Ｓ７７）。次に、ヘッド素子ＣＨ４、ＣＨ５の動作を停止させて、磁気テープ６をデータ再生始端部に戻し、ヘッド素子ＣＨ６、ＣＨ７を動作させてデータトラックＤＴ６、ＤＴ７のデータブロックを読み込むよう制御する（Ｓ７８）。
【０１１５】
すなわち、磁気テープ６の幅方向の寸法変化などによりオフトラック量が大きくなっている場合は、８チャンネル同時読み込み処理を行ったときに得られるデータに基づき算出されるエラーレートが高くなる。したがって、算出されたエラーレートと第１の上限値とを比較して、エラーレートが第１の上限値よりも高い場合は、磁気テープ６の幅方向の寸法変化などによりオフトラック量が大きくなっていると判断することができる。本実施の形態では、この判断に基づき、８チャンネル同時読み込み処理から、２チャンネル同時読み込み処理（Ｓ７５〜Ｓ７８）へ移行する。なお、２チャンネル同時読み込み処理時の詳しい動作については、図８に示すフローと同等であるため、詳しい説明を省略する。
【０１１６】
このように、分割グループ数を多くする方が、ヘッド素子グループの端のヘッド素子からもう一方の端のヘッド素子までの距離が短くなるため、対応できる磁気テープ幅方向の寸法変化がより大きい場合、効果は大きくなる。すなわち、２チャンネル同時読み込み処理では、同時に動作させる複数のヘッド素子の端部間距離は、４チャンネル同時読み込み処理や８チャンネル同時読み込み処理時において同時に動作させる複数のヘッド素子の端部間距離に比べて短い。同時に動作させる複数のヘッド素子の数が多ければ多いほど、磁気テープ６の幅方向寸法の変動量が大きい場合にオントラックさせにくくなるため、本実施の形態のように、磁気テープ６の幅方向寸法の変動量が大きく、ヘッド素子をデータトラックにオントラックさせにくい場合は、動作させるヘッド素子を減少させてトレースするデータトラックを少なくすることによって、オントラックさせやすくなる。
【０１１７】
なお、変形例２では、読み込んだデータのエラーレートが第１の上限値を越えると、８チャンネル同時読み込み処理から２チャンネル同時読み込み処理へ移行する構成としたが、８チャンネル同時読み込み処理から４チャンネル同時読み込み処理へ移行し、再度データのエラーレートを算出し、算出したエラーレートと第１の上限値とを比較してエラーレートが第１の上限値を越えたときに、４チャンネル同時読み込み処理から２チャンネル同時読み込み処理へ移行する構成としてもよい。
【０１１８】
また、変形例２では、データのエラーレートを第１の上限値とを比較して、その比較結果に基づき８チャンネル同時読み込み処理と２チャンネル同時読み込み処理のうちいずれかを選択する構成としたが、データの再生出力レベルと所定値とを比較して、その比較結果に基づき８チャンネル同時読み込み処理と２チャンネル同時読み込み処理のうちいずれかを選択する構成としてもよい。なお、再生出力レベルに基づく読み込み処理の切換動作は、変形例１において説明した動作と同等である。
【０１１９】
〔６．実施の形態の効果、他〕
本実施の形態では、磁気テープ６の寸法変化によって８チャンネルのデータを同時に読み込むことができない場合は、まずグループＡに対応するデータだけを読み込んでエラー訂正を行って、次にグループＢに対応するデータを読み込んでエラー訂正を行う。この場合には、データの転送レートが最大値の半分以下になるが、寸法変化が大きい磁気テープであっても確実にデータを読み込むことができる。グループ内のデータを全て読み込むことができれば、正常にデータを再生できる。したがって、磁気テープ６の幅方向寸法が変化し、磁気テープ６に対する磁気ヘッド１のオフトラック量が増加したとしても、正常にデータを読み込むことができる。
【０１２０】
また、本実施の形態（変形例２）では、磁気テープ６の寸法変化によって８チャンネルのデータを同時に読み込むことができない場合は、グループＡに対応するデータだけを読み込んでエラー訂正を行い、次にグループＢに対応するデータを読み込んでエラー訂正を行い、次にグループＣに対応するデータを読み込んでエラー訂正を行い、次にグループＤに対応するデータを読み込んでエラー訂正を行う。この場合には、データの転送レートが最大値の１／４以下になるが、寸法変化が大きい磁気テープであっても確実にデータを読み込むことができる。グループ内のデータを全て読み込むことができれば、正常にデータを再生できる。したがって、磁気テープ６の幅方向寸法が大幅に変化し、磁気テープ６に対する磁気ヘッド１のオフトラック量が大幅に増加したとしても、正常にデータを読み込むことができる。
【０１２１】
また、磁気テープの寸法安定性が従来よりも悪い磁気テープであっても、全てのデータを読むことができる。したがって、将来的に高記録密度化が進んでも、使用する磁気テープの寸法安定性を向上させる必要がないため、磁気テープに既存のベースフィルムあるいはより低コストのベースフィルムを使用することができる。したがって、磁気テープのコストを低減することが可能となる。
【０１２２】
また、本実施の形態では、磁気ヘッド１のヘッド素子を２つのグループに分割することにより、各グループの端のヘッド素子（例えばグループＡの場合はヘッド素子ＣＨ０）からもう一方の端のヘッド素子（例えばグループＡの場合はヘッド素子ＣＨ３）までの距離が、８チャンネルを同時に記録再生する磁気ヘッドにおける両端のヘッド素子間の距離に比べて半分になるため、幅方向の寸法変化が約２倍大きい磁気テープに対応することができる。
【０１２３】
また、本実施の形態は、磁気テープへのデータ記録方式の変更、およびソフトウエア等の変更等を行うことで実現が可能である。したがって、ハードウエアの変更が少なくてすむため、磁気テープ装置の開発コスト、製造コストも低減することができる。
【０１２４】
なお、本実施の形態では、全部で８個のヘッド素子を４個のヘッド素子からなる２グループに分割した事例を示したが、１６個のヘッド素子、または３２個以上のヘッド素子を２グループに分割しても、本実施の形態と同様の効果を得ることができる。また、変形例２において、８個のヘッド素子を２個のヘッド素子からなる４グループに分割した事例を示したが、１６個のヘッド素子、または３２個以上のヘッド素子を４グループに分割しても、本実施の形態と同様の効果を得ることができる。また、３グループ、または５グループ以上に分割しても、本実施の形態と同様の効果を得ることができる。分割グループ数を多くする方が、ヘッド素子グループの端のヘッド素子からもう一方の端のヘッド素子までの距離が短くなるため、対応できる磁気テープ幅方向の寸法変化がより大きくなり、効果は大きくなる。
【０１２５】
また、本実施の形態における制御部１２、記録再生制御部１３は、本発明の制御手段の一例である。本実施の形態におけるデータトラックＤＴ０〜ＤＴ３は、本発明の主データトラックまたは第１のデータトラックの一例である。本実施の形態におけるデータトラックＤＴ４〜ＤＴ７は、本発明の副データトラックまたは第２のデータトラックの一例である。本実施の形態におけるデータブロックＡ１、Ｃ１、Ｅ１、Ｇ１・・・Ａｎ、Ｃｎ、Ｅｎ、Ｇｎは、本発明の主データまたは第１のデータの一例である。本実施の形態におけるデータブロックＢ１、Ｄ１、Ｆ１、Ｈ１・・・Ｂｎ、Ｄｎ、Ｆｎ、Ｈｎは、本発明の副データまたは第２のデータの一例である。本実施の形態における第１の上限値、第２の上限値、第１の所定値、および第２の所定値は、本発明の所定値の一例である。
【０１２６】
また、本実施の形態の変形例２におけるデータブロックＡ１，Ｅ１・・・Ａｎ、Ｅｎは、本発明の第１のデータの一例である。本実施の形態の変形例２におけるデータブロックＢ１、Ｆ１・・・Ｂｎ、Ｆｎは、本発明の第２のデータの一例である。本実施の形態の変形例２におけるデータブロックＣ１、Ｇ１・・・Ｃｎ、Ｇｎは、本発明の第３のデータの一例である。本実施の形態の変形例２におけるデータブロックＤ１、Ｈ１・・・Ｄｎ、Ｈｎは、本発明の第４のデータの一例である。本実施の形態の変形例２におけるデータトラックＤＴ０、ＤＴ１は、本発明の第１のデータトラックの一例である。本実施の形態の変形例２におけるデータトラックＤＴ２、ＤＴ３は、本発明の第２のデータトラックの一例である。本実施の形態の変形例２におけるデータトラックＤＴ４、ＤＴ５は、本発明の第３のデータトラックの一例である。本実施の形態の変形例２におけるデータトラックＤＴ６、ＤＴ７は、本発明の第４のデータトラックの一例である。
【０１２７】
なお、主データと副データとの関係は、副データが主データに対して補助的または補完的であるという意味合いではなく、データの数を限定しないことを意味している。したがって、主データ及び副データのうちいずれか一方または両方には、単数または複数のデータを含む。また、主データトラックと副データトラックとの関係は、副データトラックが主データトラックに対して補助的または補完的であるという意味合いではなく、データトラックの数を限定しないことを意味している。したがって、主データトラック及び副データトラックのうちいずれか一方または両方には、単数または複数のデータトラックを含む。
【産業上の利用可能性】
【０１２８】
本願は、磁気テープ装置、データ記録方法、データ再生方法に有用である。
【符号の説明】
【０１２９】
１  磁気ヘッド
７  ヘッド変位部
１２  制御部
１３  記録再生制御部
【図１】
0005480678.tif 000002
【図２】
0005480678.tif 000003
【図３】
0005480678.tif 000004
【図４】
0005480678.tif 000005
【図５Ａ】
0005480678.tif 000006
【図５Ｂ】
0005480678.tif 000007
【図５Ｃ】
0005480678.tif 000008
【図６Ａ】
0005480678.tif 000009
【図６Ｂ】
0005480678.tif 000010
【図７】
0005480678.tif 000011
【図８】
0005480678.tif 000012
【図９】
0005480678.tif 000013
【図１０】
0005480678.tif 000014
【図１１】
0005480678.tif 000015
【図１２Ａ】
0005480678.tif 000016
【図１２Ｂ】
0005480678.tif 000017
【図１２Ｃ】
0005480678.tif 000018
【図１２Ｄ】
0005480678.tif 000019
【図１２Ｅ】
0005480678.tif 000020
【図１３】
0005480678.tif 000021